(57)【要約】      （修正有）【課題】ラベルに種別などを印刷する印刷手段でカラー印刷ができない場合にも、ラベルの色分け識別を可能にするラベル印刷装置およびそれを用いて印刷された梱包用ラベルを提供する。【解決手段】ラベル１，２，３，４は、枠１０，２０，３０，４０が予め色印刷されており、印刷装置において、梱包される内容物の品名や色の情報１１，２１が入力されると、その情報に応じて、制御手段が、印刷すべきラベル面のデータ（１１〜１４，１６〜１８；２１〜２４，２６〜２８）を作成し、印刷手段に与えるとともに、表示手段に、装填すべき色のラベルを、色番号１９，２９，３９，４９で表示する。【選択図】図１
2016068440.tif 000002
【特許請求の範囲】
【請求項１】
梱包材に貼付けられ、該梱包材に梱包された内容物の少なくとも種別の情報を表すラベルを印刷するための装置において、
少なくとも前記種別の情報が入力される入力手段と、
前記入力手段に入力された情報に応じて、印刷すべきラベル面のデータを作成する制御手段と、
前記データに基づき、前記ラベルを印刷する印刷手段と、
前記入力手段に入力された内容を表示する表示手段とを含み、
予め前記種別に対応した色が設定されており、前記ラベルは各色が配された複数種類準備され、前記制御手段は、前記入力手段に入力された種別に応じて、前記印刷手段に装填すべきラベルの色を前記表示手段に表示させることを特徴とするラベル印刷装置。
【請求項２】
前記ラベルは、少なくとも前記種別の情報の周りに枠取りで色形成されており、前記種別の情報の記載部分は、複数の色のラベル間で共通に、前記記載される種別の情報の読取りが容易な色に形成されることを特徴とする請求項１記載のラベル印刷装置。
【請求項３】
前記枠取りは、２つの色の組合わせで行われることを特徴とする請求項２記載のラベル印刷装置。
【請求項４】
前記ラベルは横長に形成され、前記２つの色は、前記種別の情報の周りの枠を左右に２分して塗り分けられることを特徴とする請求項３記載のラベル印刷装置。
【請求項５】
前記ラベルには前記２つの色それぞれの色番号が表示されており、
前記制御手段は、前記表示手段に、前記色番号を表示させることを特徴とする請求項３または４記載のラベル印刷装置。
【請求項６】
前記色番号は、前記左右に対応した２桁の数字で示されており、その２桁の数字自体も、対応する色でそれぞれ表示されることを特徴とする請求項５記載のラベル印刷装置。
【請求項７】
前記ラベルには、前記内容物の数量が併記されることを特徴とする請求項２〜６の何れか１項に記載のラベル印刷装置。
【請求項８】
前記ラベルには、ロットナンバーが併記され、前記内容物の種別および数量の情報は前記枠内に記載され、前記ロットナンバーは前記枠外に記載されることを特徴とする請求項７記載のラベル印刷装置。
【請求項９】
前記請求項１〜８の何れか１項に記載のラベル印刷装置を用いて印刷されることを特徴とする梱包用ラベル。
【発明の詳細な説明】
【技術分野】
【０００１】
本発明は、梱包用のラベルを印刷する装置およびそれを用いて印刷された梱包用ラベルに関する。
【背景技術】
【０００２】
前記梱包用のラベルを色分けして、仕分けミスを無くすような試みが、たとえば特許文献１などで、従来から行われている。
【先行技術文献】
【特許文献】
【０００３】
【特許文献１】特開２００４−１０２１７７号公報
【発明の概要】
【発明が解決しようとする課題】
【０００４】
しかしながら、たとえばラベルが大きかったり、小さかったり、特殊な素材であったり、或いは印刷手段がモノクロ対応であったりするなどして、ラベルに種別などを印刷する前記印刷手段でカラー印刷ができない場合には、上記の従来技術では、対応できないという問題がある。
【０００５】
本発明の目的は、ラベルに種別などを印刷する前記印刷手段でカラー印刷ができない場合にも、ラベルの色分け識別を可能にするラベル印刷装置およびそれを用いて印刷された梱包用ラベルを提供することである。
【課題を解決するための手段】
【０００６】
本発明のラベル印刷装置は、梱包材に貼付けられ、該梱包材に梱包された内容物の少なくとも種別の情報を表すラベルを印刷するための装置において、少なくとも前記種別の情報が入力される入力手段と、前記入力手段に入力された情報に応じて、印刷すべきラベル面のデータを作成する制御手段と、前記データに基づき、前記ラベルを印刷する印刷手段と、前記入力手段に入力された内容を表示する表示手段とを含み、予め前記種別に対応した色が設定されており、前記ラベルは各色が配された複数種類準備され、前記制御手段は、前記入力手段に入力された種別に応じて、前記印刷手段に装填すべきラベルの色を前記表示手段に表示させることを特徴とする。
【０００７】
上記の構成によれば、梱包材に貼付けられ、該梱包材に梱包された内容物の少なくとも種別の情報を表すラベルを印刷するための装置において、入力手段から少なくとも種別の情報、たとえば内容物の商品名や色が入力されると、制御手段は、入力手段に入力された情報に応じて、印刷すべきラベル面のデータを作成し、印刷手段にラベルを印刷させるとともに、前記入力手段と共にヒューマンインターフェースを構成する表示手段に、入力手段への入力内容を表示させる。
【０００８】
一方、前記ラベルには各色が配された複数の種類の物が準備されており、各色は、予め前記種別に対応付けられている。そして、前記制御手段は、入力手段への入力内容を表示手段に表示させる際に、入力された種別に応じて、印刷手段に装填すべきラベルの色を表示させる。
【０００９】
したがって、ラベルが大きかったり、小さかったり、或いは特殊な素材であったりするなどして、ラベルに種別などを印刷する印刷手段でカラー印刷ができない場合にも、色分けしたラベルを使用することができる。これによって、梱包された荷物への異種の荷物の紛れ込みを、ラベルに記載された種別のデータを確認するまでもなく、色の違いから容易に確認できるようになり、納品ミスを抑えることができる。
【００１０】
また、本発明のラベル印刷装置では、前記ラベルは、少なくとも前記種別の情報の周りに枠取りで色形成されており、前記種別の情報の記載部分は、複数の色のラベル間で共通に、前記記載される種別の情報の読取りが容易な色に形成されることを特徴とする。
【００１１】
上記の構成によれば、ラベルの色分けは前記種別の情報の周りに形成される枠に対して行われ、その枠の内側は、複数の色のラベル間で共通に、前記記載される種別の情報の読取りが容易な色、たとえば前記種別の情報が黒印字される場合には白などで、好ましくは無地に形成される。
【００１２】
したがって、種別の情報の読取りが容易であるとともに、色の違いも容易に識別することができる。
【００１３】
さらにまた、本発明のラベル印刷装置では、前記枠取りは、２つの色の組合わせで行われることを特徴とする。
【００１４】
上記の構成によれば、色数をｎとすると、たとえば左右で塗り分けた場合、その左右も規定すると、ラベルの種類は、ｎ2となり、少ない色数で、多くの種類のラベルを作成することができる。そして、３つ以上に分けた場合では、単純に色の組合わせ数を増やせるものの、かえって識別しにくくなってしまうのに対して、２つの色の組合わせでは、識別を瞬時に行うことができ、好適である。
【００１５】
また、本発明のラベル印刷装置では、前記ラベルは横長に形成され、前記２つの色は、前記種別の情報の周りの枠を左右に２分して塗り分けられることを特徴とする。
【００１６】
上記の構成によれば、前記２つの色での識別を、極めて容易に行うことができる。
【００１７】
さらにまた、本発明のラベル印刷装置では、前記ラベルには前記２つの色それぞれの色番号が表示されており、前記制御手段は、前記表示手段に、前記色番号を表示させることを特徴とする。
【００１８】
上記の構成によれば、前記２つの色は左右で塗り分けられており、ラベルの種類は、前記のｎ2となる。また、その２つの色それぞれの色が、〜色等の名称ではなく、予め定められた番号で、ラベルに表示されるとともに、表示手段にも表示される。
【００１９】
したがって、比較的色相の近い色を使用しても、ラベル装填時の色間違いを防止することができ、使用する色数、すなわち対応可能な内容物の種別数を増やすことができる。
【００２０】
また、本発明のラベル印刷装置では、前記色番号は、前記左右に対応した２桁の数字で示されており、その２桁の数字自体も、対応する色でそれぞれ表示されることを特徴とする。
【００２１】
上記の構成によれば、色番号が左右に対応した２桁の数字で示されることで、右が〜色、左が〜色と言うように、色の識別（記憶）を容易に行うことができるとともに、その２桁の数字自体も同じ色でそれぞれ表示することで、ラベルの選択は、先ず色で行い、数字を確認することで間違いが無いかどうかを確認することができ、前記ラベルの選択を、一層簡単に行うことができる。
【００２２】
好ましくは、前記ラベルには、前記内容物の数量が併記されることを特徴とする。
【００２３】
また、本発明のラベル印刷装置では、前記ラベルには、ロットナンバーが併記され、前記内容物の種別および数量の情報は前記枠内に記載され、前記ロットナンバーは前記枠外に記載されることを特徴とする。
【００２４】
上記の構成によれば、ラベルには内容物の詳細な識別に重要なロットナンバーが併記されるものの、このロットナンバーは一見しただけでは内容物の把握等に困難であることもあり、枠内には内容物の種別および数量が記載され、このロットナンバーは、内容物の種別および数量以外の情報、たとえば該ロットナンバーのバーコードと、枠外に記載される。
【００２５】
したがって、枠内を確認するだけで、異種の荷物の紛れ込みを容易に確認することができる。
【００２６】
さらにまた、本発明の梱包用ラベルは、前記のラベル印刷装置を用いて印刷されることを特徴とする。
【００２７】
上記の構成によれば、上記のラベルを用いることで、異種の荷物の紛れ込みを容易に確認することができる。
【発明の効果】
【００２８】
本発明のラベル印刷装置は、以上のように、梱包材に貼付けられ、該梱包材に梱包された内容物の少なくとも種別を表すラベルを印刷するための装置において、入力手段から少なくとも種別の情報、たとえば内容物の商品名や色が入力されると、制御手段は、印刷すべきラベル面のデータを作成し、印刷手段にラベルを印刷させるとともに、表示手段に、予め準備されている複数の色のラベルの中から、印刷手段に装填すべきラベルの色を表示させる。
【００２９】
それゆえ、ラベルが大きかったり、小さかったり、或いは特殊な素材であったりするなどして、ラベルに種別などを印刷する印刷手段でカラー印刷ができない場合にも、色分けしたラベルを使用することができ、梱包された荷物への異種の荷物の紛れ込みを、ラベルに記載された種別のデータを確認するまでもなく、色の違いから容易に確認できるようになり、納品ミスを抑えることができる。
【図面の簡単な説明】
【００３０】
【図１】本発明の実施の一形態に係るラベル印刷装置を用いて印刷されるラベルの一例を示す正面図である。
【図２】前記ラベル印刷装置の一構成例の電気的構成を示すブロック図である。
【発明を実施するための形態】
【００３１】
図１は、本発明の実施の一形態に係るラベル印刷装置を用いて印刷されるラベルの一例を示す正面図である。図１の例では、（ａ）および（ｂ）は印刷済のラベル１，２を示し、（ｃ）および（ｄ）は印刷前のラベル３，４を示す。本実施形態のラベル１〜４は、梱包材に貼付けられ、該梱包材に梱包された内容物の少なくとも種別を表示する。
【００３２】
本実施形態では、印刷済のラベル１，２には、前記種別として、参照符号１１，２１で示す品名および色の情報が表示されるとともに、それらの品名および色の情報１１，２１の略号１２，２２が表示されている。たとえば、品名および色の情報１１，２１はカタカナ表記で、略号１２，２２は、それらの品名および色の情報を英語表記した際の頭文字を抽出するなどして作成され、さらに品名および色の情報１１，２１よりも拡大した文字で表記されている。したがって、慣れた作業者は、この略号１２，２２を見るだけで、瞬時に内容物の種別を認識することができる。
【００３３】
また、図１（ａ）および（ｂ）のラベル１，２には、参照符号１３，２３で示す内容物の数量（図１の例では７００）の情報が表示されるとともに、参照符号１４，２４で示す内容物の細目（図１の例では、内容物として、或る商品の包装箱を示しており、その包装箱に収容すべき商品数、図１の例では、１個入りの箱であること）の情報が表示される。さらにまた、また、図１（ａ）および（ｂ）のラベル１，２には、参照符号１５，２５で示すような、納品先における内容物の識別コード、たとえばＪＡＮコードが表示されている。
【００３４】
さらに、図１（ａ）および（ｂ）のラベル１，２には、参照符号１６，２６で示す出荷検査日の情報、参照符号１７，２７で示すロットナンバー、参照符号１８，２８で示すバーコードが表示されている。ロットナンバー１７，２７は、前半にロットナンバーを、後半に前記の略号１２，２２を組合わせて構成されており、バーコード１８，２８は、このようなロットナンバー１７，２７に対応している。バーコード１８，２８は、赤外線走査のリーダーなどによって読取り可能であり、最終の出荷確認などは、このバーコード１８，２８の読取りによって、納品商品のモレや間違いが無いかの確認が行われる。
【００３５】
注目すべきは、これらのラベル１，２，３，４には、予め前記種別の情報である略号１２，２２に対応した色が設定されており、該ラベル１，２，３，４は、各色が配された複数の種類が準備されており、略号１２，２２に対応して使い分けされることである。そして、図１の例では、ラベル１，２，３，４の色分けは、前記種別の情報の周りに形成される矩形の枠１０，２０，３０，４０に対して行われ、その枠１０，２０，３０，４０の内側は、複数の色のラベル１〜４間で共通に、前記記載される種別の情報の読取りが容易な色、たとえば前記種別の情報が黒印字される場合には白の無地であってもよく、青印字される場合には黄の無地等の色相環で補色となる色に形成されてもよい。
【００３６】
さらに、前記枠１０，２０，３０，４０は、２つの色の組合わせで構成され、横長のラベル１，２，３，４に対して、左右で色分け（天地を規定）されている。したがって、色数をｎとすると、ラベルの種類は、ｎ2となり、少ない色数で、多くの種類のラベルを作成することができるようになっている。これによって、３つ以上の色に分けた場合では、単純に色の組合わせ数を増やせるものの、かえって識別しにくくなってしまうのに対して、２つの色の組合わせでは、識別を瞬時に行うことができ、好適である。なお、上記の場合に左右を規定しないと、ラベルの種類は、ｎ2／２となり、種類は半分となる。
【００３７】
使用される色としては、たとえば、赤、紺、青、緑、紫、黄、グレー、茶、橙の９色であり、それぞれ１〜９の色番号が付されている。モノクロの図１では認識し難いが、（ａ）のラベル１では、枠１０の左側の部分１０１が１番色の赤、右側の部分１０２が５番色の紫で、その２桁の色番号の組合わせが、参照符号１９で示すように、枠１０外に表示され、さらにその色番号の各桁１９１，１９２が、それぞれの色番号の色、すなわち桁１９１が赤色、桁１９２が紫色で印刷されている。
【００３８】
同様に、（ｂ）のラベル２では、枠２０の左側の部分２０１が９番色の橙、右側の部分２０２が１番色の赤で、色番号２９の桁２９１，２９２が、それぞれの橙および赤色で印刷されている。（ｃ）のラベル３では、枠３０の左側の部分３０１が５番色の紫、右側の部分３０２が６番色の黄で、色番号３９の桁３９１，３９２が、それぞれの紫および黄色で印刷されている。（ｄ）のラベル４では、枠４０の左側の部分４０１が４番色の緑、右側の部分４０２が５番色の紫で、色番号４９の桁４９１，４９２が、それぞれの緑および紫色で印刷されている。
【００３９】
図１のラベル１〜４は、個別に切離された状態を示しているが、切離される前の状態では、連続する台紙５上に貼付けられ、その切離されるミシン目毎に、山折りと谷折りとが交互に繰り返されて、折り畳んだ状態で保管され、或いは後述の印刷手段に装填される。台紙５の両側には、前記印刷手段での給送用の孔６が穿設されている。
【００４０】
図２は、上述のようなラベル１〜４を印刷するラベル印刷装置８の一実施形態の電気的構成を示すブロック図である。このラベル印刷装置８は、パーソナルコンピュータなどで実現される制御装置８１と、キーボードやマウスなどで実現される入力手段８２と、液晶表示装置などで実現される表示手段８３と、モノクロプリンターなどで実現される前記印刷手段８４とを備えて構成される。これらの構成に、前述の出荷検査などに用いる場合には赤外線走査のリーダーなどが適宜付加される。
【００４１】
入力手段８２および表示手段８３は、ヒューマンインターフェースを構成し、前述の品名および色の情報１１，２１、内容物の数量の情報１３，２３、細目の情報１４，２４、内容物の識別コード１５，２５、ロットナンバー１７，２７などの入力支援を行う。制御装置８１内には、ラベルデータ作成手段８５、色割付けテーブル８６およびロットテーブル８７が設けられている。色割付けテーブル８６には、上述のような内容物の種別の情報に対応したラベルの色の情報が予め格納されている。ロットテーブル８７には、このラベル印刷装置８或いは他の情報処理装置において、製造開始時に付与されるロットナンバー１７，２７に対応して、品名および色の情報１１，２１ならびに略号１２，２２が予め登録されている。
【００４２】
ラベルデータ作成手段８５は、入力手段８２から、ロットナンバー１７，２７が入力されると、ロットテーブル８７から対応する品名および色の情報１１，２１および略号１２，２２を読出し、図１（ａ）や（ｂ）で示すラベル１，２の印字データを作成するとともに、色割付けテーブル８６から、前記品名および色の情報１１，２１に対応したラベルの色番号を読出し、表示手段８３に表示する。操作者が、その表示手段８３に表示された色のラベルを印刷手段８４に装填すると、ラベルデータ作成手段８５は、ラベル印字データを印刷手段８４へ送信して、印刷を行わせる。なお、数量の情報１３，２３や出荷検査日の情報１７，２７などは、自動的に或いは適宜入力手段８２から入力される。
【００４３】
このように本実施形態のラベル１〜４およびそのラベル印刷装置８は、入力手段８２から少なくとも種別の情報、たとえば内容物の品名や色の情報１１，２１（上記ではロットナンバー１７，２７）が入力されると、制御装置８１は、その情報１１，２１に応じて、図１（ａ）や（ｂ）で示すような印刷すべきラベル面のデータを作成し、印刷手段８４にラベル１，２を印刷させるとともに、表示手段８３に、印刷手段８４に装填すべきラベルの色を表示させる。
【００４４】
したがって、ラベル１〜４が大きかったり、小さかったり、或いは特殊な素材であったりするなどして、ラベル１〜４に種別などを印刷する印刷手段８４でカラー印刷ができない場合にも、色分けしたラベル１〜４を使用することができる。これによって、梱包された荷物への異種の荷物の紛れ込みを、ラベルに記載された種別のデータ（品名や色の情報１１，２１、ロットナンバー１７，２７など）を確認するまでもなく、色の違いから容易に確認できるようになり、納品ミスを抑えることができる。
【００４５】
さらに、ラベル１〜４の色分けを、少なくとも前記種別の情報である品名や色の情報１１，２１の周りに形成される枠１０，２０，３０，４０に対して行い、その内側の前記種別の情報の記載部分は、複数の色のラベル１〜４間で共通に、その記載される種別の情報の読取りが容易な色、たとえば前記種別の情報が黒印字される場合には白の無地に形成するので、種別の情報の読取りが容易であるとともに、色の違いも容易に識別することができる。
【００４６】
さらにまた、前記の枠１０，２０，３０，４０を２つの色の組合わせで行うので、少ない色数で、多くの種類のラベルを作成することができる。さらに、その２つの色を、枠１０，２０，３０，４０を左右に２分して塗り分けるので、２つの色での識別を、極めて容易に行うことができる。
【００４７】
その上、ラベル１〜４には、参照符号１９，２９，３９，４９で示すように、２つの色それぞれの色番号が表示されており、制御装置８１は、表示手段８３に、２つの色それぞれの色が、〜色等の名称ではなく、その色番号１９，２９，３９，４９で表示させるので、比較的色相の近い色、たとえば１番色の赤と９番色の橙とを使用しても、印刷手段８４へのラベル装填時の色間違いを防止することができ、使用する色数、すなわち対応可能な内容物の種別数を増やすことができる。
【００４８】
また、その色番号１９，２９，３９，４９も、左右に対応した２桁の数字とすることで、右が〜色、左が〜色と言うように、色の識別（記憶）を容易に行うことができるとともに、その２桁の数字自体も同じ色でそれぞれ表示することで、ラベル１〜４の選択を、先ず色で行い、数字を確認することで間違いが無いかどうかを確認することができ、ラベル１〜４の選択を、一層簡単に行うことができる。
【００４９】
また、ラベル１，２には、内容物の詳細な識別に重要なロットナンバー１７，２７が併記されるものの、このロットナンバー１７，２７は一見しただけでは内容物の把握等に困難であることもあり、品名や色の情報１１，２１などの内容物の種別の情報および数量の情報１３，２３は前記枠１０，２０内に記載し、このロットナンバー１７，２７およびそのバーコード１８，２８は前記枠１０，２０外に記載すること、枠１０，２０内を確認するだけで、異種の荷物の紛れ込みを容易に確認することができる。
【符号の説明】
【００５０】
１，２，３，４    ラベル
１０，２０，３０，４０    枠
１０１，１０２；２０１，２０２；３０１，３０２；４０１，４０２    部分
１１，２１    品名および色の情報
１２，２２    略号
１３，２３    数量の情報
１４，２４    細目の情報
１５，２５    内容物の識別コード
１６，２６    出荷検査日の情報
１７，２７    ロットナンバー
１８，２８    バーコード
１９，２９，３９，４９    色番号
１９１，１９２；２９１，２９２；３９１，３９２；４９１，４９２    桁
５    台紙
８    ラベル印刷装置
８１    制御装置
８２    入力手段
８３    表示手段
８４    印刷手段
８５    ラベルデータ作成手段
８６    色割付けテーブル
８７    ロットテーブル
【図１】
2016068440.tif 000003
【図２】
2016068440.tif 000004